(57)【特許請求の範囲】
【請求項１】
マスク装着者の頭部に装着されることができるマスク本体と、
上記マスク装着者の顔面と上記マスク本体との間に存在するガス類導入空間にガス類を導入することができるガス類導入用のコネクタ部と、
上記ガス類導入用コネクタ部の内部にガス類を導入するために、上記ガス類導入用コネクタ部に連結されているガス類供給用チューブ部とを備えているガス類供給用マスク装置において、
上記ガス類導入用コネクタ部の内部に設けられると共に外周囲が前記ガス類導入用コネクタ部の内周面と離間したバッフル板部を有する流路変更用アダプタ部をさらに備え、
上記ガス類供給用チューブ部から上記ガス類導入用コネクタ部に導入されるガス類のガス流が上記流路変更用アダプタ部内の前記バッフル板部に当接することによって、上記ガス類導入用コネクタ部の内部での上記ガス流の流路が変更されるとともに、上記ガス類導入用コネクタ部の内部での上記ガス流の流速が低減されるように構成したことを特徴とするガス類供給用マスク装置。
【請求項２】
上記ガス類導入用コネクタ部が、第１のコネクタ、第２のコネクタおよび第３のコネクタをそれぞれ備え、
上記第３のコネクタが、上記ガス類供給用チューブ部に連結され、
上記第２のコネクタが、上記第３のコネクタに連結され、
上記第１のコネクタが、上記第２のコネクタに連結され、
上記ガス類供給用チューブ部から上記第３のコネクタに導入されるガス類が、上記第３のコネクタから上記第２のコネクタおよび上記第１のコネクタを順次介して、上記マスク本体の内側に送り込まれるように構成され、
上記第２のコネクタが、ほぼ下方に延在している下側の筒状部と、この下側筒状部から斜め上方に向って弯曲した状態で延在するように、上記下側筒状部と一体的に構成されている上側の筒状部とを備え、
上記流路変更用アダプタ部が、上記第３のコネクタに配設されていることを特徴とする請求項１に記載のガス類供給用マスク装置。
【請求項３】
上記流路変更用アダプタ部が、この流路変更用アダプタ部を上記ガス類導入用コネクタ部に支持させるために、上記流路変更用アダプタ部に支持されているほぼ環形状の支持部と、この支持部からほぼ下方に向かって延在している複数本の連結部と、これら複数本の連結部の下端に連結されているバッフル板部とを備え、
複数個の通気用開口が、上記複数本の連結部の間にそれぞれ配設されていることを特徴とする請求項１または２に記載のガス類供給用マスク装置。
【請求項４】
上記バッフル板部が、ほぼ下方に向かってほぼ錐形状に突出するように構成されていることを特徴とする請求項３に記載のガス類供給用マスク装置。
【請求項５】
上記ガス類が上記ガス類供給用チューブ部から上記ガス類導入用コネクタ部の内部空間に導入されるときのガス類導入口の開口面積が、５．２〜１０．４ｍｍ２の範囲であり、
上記流路変更用アダプタ部の上記支持部の内周囲によって構成される中央開孔の上端側の開口の開口面積が、１４２〜２８６ｍｍ２の範囲であることを特徴とする請求項３または４に記載のガス類供給用マスク装置。
【請求項６】
上記流路変更用アダプタ部が、この流路変更用アダプタ部を上記ガス類導入用コネクタ部に支持させるために、上記ガス類導入用コネクタ部にそれぞれ設けられている複数本の取付け用脚部と、これら複数本の取付け用脚部にそれぞれ連結されているバッフル板部とを備え、
複数個の通気用開口が上記複数本の取付け用脚部の間にそれぞれ配設され、
ほぼ環形状の間隙が、上記バッフル板部と上記ガス類導入用コネクタ部との間に形成されていることを特徴とする請求項１または２に記載のガス類供給用マスク装置。
【請求項７】
上記バッフル板部が、ほぼ平板形状に構成されていることを特徴とする請求項６に記載のガス類供給用マスク装置。
【請求項８】
上記バッフル板部が、ほぼ上方に向かってほぼ錐形状に突出していることを特徴とする請求項６に記載のガス類供給用マスク装置。
【請求項９】
上記バッフル板部の平面的に見た面積が、１６０〜２６８ｍｍ２の範囲であり、
上記バッフル板部と上記ガス類導入用コネクタ部との間に存在する間隙の平面的に見た面積が、３０〜５２ｍｍ２の範囲であることを特徴とする請求項７または８に記載のガス類供給用マスク装置。
【請求項１０】
上記バッフル板部が、ほぼ半筒形状に構成され、
上記バッフル板部の内周面が、ほぼ上方を向くとともに、上記バッフル板部の外周面が、ほぼ下方を向くように構成されていることを特徴とする請求項６に記載のガス類供給用マスク装置。
【請求項１１】
上記バッフル板部の平面的に見た面積が、６０〜１０４ｍｍ２の範囲であり、
上記バッフル板部と上記ガス類導入用コネクタ部との間に存在する間隙の平面的に見た面積が、１２８〜２１６ｍｍ２の範囲であることを特徴とする請求項１０に記載のガス類供給用マスク装置。
【発明の詳細な説明】
【技術分野】
【０００１】
本発明は、マスク装着者の頭部に装着されることができるマスク本体と、上記マスク装着者の顔面と上記マスク本体との間に存在するガス類導入空間に酸素ガスなどのガス類を導入することができるガス類導入用開口とを備えている酸素マスク装置などのガス類供給用マスク装置に関するものである。
【背景技術】
【０００２】
本願の出願人は、図１９〜図２１に示すように、上述のような構成を備えている酸素マスク装置を、特願２０１４−１２１５８５号として、平成２６年６月１２日付けですでに特許出願している。なお、この特願２０１４−１２１５８５号に係る酸素マスク装置（以下、「前記先願の酸素マスク装置」という。）１５１は、図１〜図１２に示す本発明の第１の実施例における酸素マスク装置（以下、「上記第１の実施例の酸素マスク装置」という。）とは、上記第１の実施例の酸素マスク装置が具備している流路変更用アダプタ部４０を具備していない点のみが実質に相違している。なお、図１９〜図２１においては、図１〜図１２において用いられている符号が同様に用いられている。
【発明の概要】
【発明が解決しようとする課題】
【０００３】
しかし、図１９〜図２１に示す前記先願の酸素マスク装置１５１の場合には、以下に記載するような現象が生じる可能性がある。すなわち、前記先願の酸素マスク装置１５１においては、酸素ガスなどのガス類の流量が特に多くない通常の使用状態では、ガス類導入用コネクタ部１２１の内部において生起される雑音がマスク装着者２や周囲の人達に騒音として認識され難いとともに、ガス類導入用コネクタ部１２１からの上記ガス流の流動方向が好ましい状態に保持され易い。しかし、前記先願の酸素マスク装置１５１においても、酸素ガスなどのガス類の流量を比較的多くした使用状態では、ガス類導入用コネクタ部１２１の内部において生起される雑音がマスク装着者２や周囲の人達に騒音として認識され易くなるとともに、ガス類導入用コネクタ部１２１からの上記ガス流の流動方向が好ましい状態から大幅に変更される可能性が大きくなる。
【０００４】
本発明は、前記先願の酸素マスク装置１５１における上述のような現象を、比較的簡単な構成でもって、効果的に是正し得るようにしたものである。
【課題を解決するための手段】
【０００５】
本発明は、マスク装着者の頭部に装着されることができるマスク本体と、上記マスク装着者の顔面と上記マスク本体との間に存在するガス類導入空間にガス類を導入することができるガス類導入用のコネクタ部と、上記ガス類導入用コネクタ部の内部にガス類を導入するために、上記ガス類導入用コネクタ部に連結されているガス類供給用チューブ部とを備えているガス類供給用マスク装置において、上記ガス類導入用コネクタ部の内部に設けられると共に外周囲が前記ガス類導入用コネクタ部の内周面と離間したバッフル板部を有する流路変更用アダプタ部をさらに備え、上記ガス類供給用チューブ部から上記ガス類導入用コネクタ部に導入されるガス類のガス流が上記流路変更用アダプタ部内の前記バッフル板部に当接することによって、上記ガス類導入用コネクタ部の内部での上記ガス流の流路が変更されるとともに、上記ガス類導入用コネクタ部の内部での上記ガス流の流速が低減されるように構成したことを特徴とするガス類供給用マスク装置に係るものである。
【０００６】
そして、本発明は、その第１の観点においては、上記ガス類導入用コネクタ部が、第１のコネクタ、第２のコネクタおよび第３のコネクタをそれぞれ備え、上記第３のコネクタが、上記ガス類供給用チューブ部に連結され、上記第２のコネクタが、上記第３のコネクタに連結され、上記第１のコネクタが、上記第２のコネクタに連結され、上記ガス類供給用チューブ部から上記第３のコネクタに導入されるガス類が、上記第３のコネクタから上記第２のコネクタおよび上記第１のコネクタを順次介して、上記マスク本体の内側に送り込まれるように構成され、上記第２のコネクタが、ほぼ下方に延在している下側の筒状部と、この下側筒状部から斜め上方に向って弯曲した状態で延在するように、上記下側筒状部と一体的に構成されている上側の筒状部とを備え、上記流路変更用アダプタ部が、上記第３のコネクタに配設されている。
【０００７】
また、本発明は、その第２の観点においては、上記流路変更用アダプタ部が、この流路変更用アダプタ部を上記ガス類導入用コネクタ部に支持させるために、上記流路変更用アダプタ部に支持されているほぼ円環形状などのほぼ環形状の支持部と、この支持部からほぼ下方に向かって延在している複数本の連結部と、これら複数本の連結部の下端に連結されているバッフル板部とを備え、複数個の通気用開口が、上記複数本の連結部の間にそれぞれ配設されている。そして、本発明は、その第２の観点の第１の態様においては、上記バッフル板部が、ほぼ下方に向かってほぼ円錐形状などのほぼ錐形状に突出するように構成されている。さらに、本発明は、その第２の観点の第２の態様においては、上記ガス類が上記ガス類供給用チューブ部から上記ガス類導入用コネクタ部の内部空間に導入されるときのガス類導入口の開口面積が、５．２〜１０．４ｍｍ２の範囲（好ましくは、５．８〜９．８ｍｍ２の範囲、さらに好ましくは、６．２〜９．４ｍｍ２の範囲）であり、上記流路変更用アダプタ部の上記支持部の内周囲によって構成される中央開孔の上端側の開口の開口面積が、１４２〜２８６ｍｍ２の範囲（好ましくは、１６０〜２６８ｍｍ２の範囲、さらに好ましくは、１７０〜２５８ｍｍ２の範囲）である。
【０００８】
また、本発明は、その第３の観点においては、上記流路変更用アダプタ部が、この流路変更用アダプタ部を上記ガス類導入用コネクタ部に支持させるために、上記ガス類導入用コネクタ部にそれぞれ設けられている複数本の取付け用脚部と、これら複数本の取付け用脚部にそれぞれ連結されているバッフル板部とを備え、複数個の通気用開口が上記複数本の取付け用脚部の間にそれぞれ配設され、ほぼ環形状の間隙が、上記バッフル板部と上記ガス類導入用コネクタ部との間に形成されている。そして、本発明は、その第３の観点の第１の態様においては、上記バッフル板部が、ほぼ平板形状に構成されている。さらに、本発明は、その第３の観点の第２の態様においては、上記バッフル板部が、ほぼ上方に向かってほぼ円錐形状などのほぼ錐形状に突出している。また、上記バッフル板部の平面的に見た面積（換言すれば、上記流路変更用アダプタの軸心方向から見た面積）が、１６０〜２６８ｍｍ２の範囲（好ましくは、１７０〜２５８ｍｍ２の範囲、さらに好ましくは１７８〜２５０ｍｍ２の範囲）であり、上記バッフル板部と上記ガス類導入用コネクタ部との間に存在する間隙の平面的に見た面積が、３０〜５２ｍｍ２の範囲（好ましくは、３２〜５０ｍｍ２の範囲、さらに好ましくは３３〜４８ｍｍ２の範囲）である。そして、本発明は、その第３の観点の第３の態様においては、上記バッフル板部が、ほぼ半円筒形状などのほぼ半筒形状に構成され、上記バッフル板部の内周面が、ほぼ上方を向くとともに、上記バッフル板部の外周面が、ほぼ下方を向くように構成されている。この場合、上記バッフル板部の平面的に見た面積が、６０〜１０４ｍｍ２の範囲（好ましくは、６６〜１００ｍｍ２の範囲、さらに好ましくは６８〜９６ｍｍ２の範囲）であり、上記バッフル板部と上記ガス類導入用コネクタ部との間に存在する間隙の平面的に見た面積が、１２８〜２１６ｍｍ２の範囲（好ましくは、１３８〜２０８ｍｍ２の範囲、さらに好ましくは１４２〜２００ｍｍ２の範囲）であるのが好ましい。
【発明の効果】
【０００９】
請求項１に係る発明によれば、酸素ガスなどのガス類の流量が特に多くない通常の使用状態では、ガス類導入用コネクタ部の内部において生起される雑音がマスク装着者や周囲の人達に騒音として認識される可能性がほとんどないとともに、ガス類導入用コネクタ部からの上記ガス流の流動方向もできるだけ好ましい状態に保持される。そして、酸素ガスなどのガス類の流量を十分に多くした使用状態でも、ガス類導入用コネクタ部の内部において生起される雑音がマスク装着者や周囲の人達に騒音として認識される可能性があまりないとともに、ガス類導入用コネクタ部からの上記ガス類の流動方向が好ましい状態から大幅に変更される可能性が少ない。また、請求項２〜１１のそれぞれに係る発明によれば、請求項１に係る発明によって奏する効果を、比較的簡単な構造でもって、確実に奏することができる。
【図面の簡単な説明】
【００１０】
【図１】本発明を酸素マスク装置に適用した第１の実施例における酸素マスク装置の通常の使用状態での縦断面図である。（実施例１）
【図２】図１に示す酸素マスク装置のコネクタ付近の拡大図である。（実施例１）
【図３】図１に示す酸素マスク装置の通常の使用状態での斜視図である。（実施例１）
【図４】酸素供給用チューブが右側に往回動した状態での酸素マスク装置の図３と同様の斜視図である。（実施例１）
【図５】酸素供給用チューブが左側に往回動した状態での酸素マスク装置の図３と同様の斜視図である。（実施例１）
【図６】水平面上に載置した状態での図１に示す酸素マスク装置の縦断面図である。（実施例１）
【図７】図１に示す第１のコネクタの斜視図である。（実施例１）
【図８】図７のＡ−Ａ線に沿った断面図である。（実施例１）
【図９】図８の部分的な拡大図である。（実施例１）
【図１０】図７に示す第１のコネクタの一部を切り欠いて示す斜視図である。（実施例１）
【図１１】図２に示す流路変更用アダプタの斜視図である。（実施例１）
【図１２】図２に示す流路変更用アダプタ付近の拡大断面図である。（実施例１）
【図１３】本発明を酸素マスク装置に適用した第２の実施例による流路変更用アダプタを取付けた状態での第３のコネクタの斜視図である。（実施例２）
【図１４】図１３のＢ−Ｂ線に沿った断面図である。（実施例２）
【図１５】本発明を酸素マスク装置に適用した第３の実施例による流路変更用アダプタを取付けた状態での第３のコネクタの斜視図である。（実施例３）
【図１６】図１５のＣ−Ｃ線に沿った断面図である。（実施例３）
【図１７】本発明を酸素マスク装置に適用した第４の実施例による流路変更用アダプタを取付けた状態での第３のコネクタの斜視図である。（実施例４）
【図１８】図１７のＤ−Ｄ線に沿った断面図である。（実施例４）
【図１９】前記先願の酸素マスク装置の通常の使用状態での縦断面図である。（先願例１）
【図２０】図１９に示す前記先願の酸素マスク装置の、ガス類の流量を比較的多くした使用状態での縦断面図である。（先願例１）
【図２１】図１９に示す前記先願の酸素マスク装置の、コネクタ部分が右側に往回動した状態でかつガス類の流量を比較的多くした使用状態でのガス類のガス流を示す正面図である。（先願例１）
【発明を実施するための形態】
【００１１】
つぎに、本発明を酸素マスク装置に適用した第１〜第４の実施例を、「１、第１の実施例」、「２、第２の実施例」、「３、第３の実施例」および「４、第４の実施例」にそれぞれ項分けして、図１〜図１８を参照しつつ説明する。
【００１２】
１、第１の実施例
【００１３】
本発明の第１の実施例における酸素マスク装置を、「（１）酸素マスク本体の説明」、「（２）第１〜第４のコネクタ、流路変更用アダプタおよびガス類供給用チューブの説明」および「（３）ガス類供給用チューブからのマスク本体へのガス類の吹き出し状態の説明」に項分けして、図１〜図１２を参照しつつ説明する。
【００１４】
（１）酸素マスク本体の説明
【００１５】
ガス類供給用マスク装置としての酸素マスク装置１は、図３、図６などに示すように、患者などのマスク装着者２の顔面３のほぼ中央の部分（具体的には、鼻部４および口部５ならびにこれらの周辺部）を覆うことができるマスク本体６を備えている。なお、マスク本体６は、軟質塩化ビニールなどのほぼ透明な（換言すれば、透光性の）軟質合成樹脂などから、左右ほぼ対称的な形状を有するように、一体成形されていてよい。そして、マスク本体６の外周部分１１のうちの少なくとも左右両側部１１ａ、１１ｂは、そのほぼ全体にわたってほぼ平らな面に（換言すれば、マスク本体６を図６に示すように水平面８４に上向きに載置したときに、ほぼ水平な面になるように）構成されている。なお、外周部分１１のうちの上側部１１ｃは、マスク装着者２の鼻部４の形状にほぼ対応するように、外側に向って多少突出している弯曲形状であってよい。そして、外周部分１１のうちの下側部１１ｄは、マスク装着者２の顎部１２のほぼ上方付近に対応するように、左右両側部１１ａ、１１ｂとほぼ連続しているほぼ平らな面であってもよいが、マスク装着者２の顎部１２のほぼ下方付近に対応するように、前方に向って多少突出している弯曲形状であってもよい。
【００１６】
マスク本体６の外周部分１１の左右一対の側端部１１ａ、１１ｂのうちのほぼ上方の方向における中間部分には、図４などに示すように、これら左右一対の側端部１１ａ、１１ｂから左右両外側に向かってそれぞれほぼ等脚台形状などのほぼ台形状などに突出している左右両側の突出部１３ａ、１３ｂが形成されている。そして、これら左右両側の突出部１３ａ、１３ｂには、柔軟性および弾性をそれぞれ有する長手状取付け部材としての偏平形状のゴム紐１４の左右両端部がそれぞれ挿通されて取付けられる左右一対の挿通孔１５が、それぞれ配設されている。また、同様の挿通孔１６が、左右一対の側端部１１ａ、１１ｂのほぼ上下方向に沿って、例えば３個ずつ順次配設されている。さらに、ゴム紐１４と同様に構成されていてよい第２のゴム紐１７の両端部のそれぞれが、ゴム紐１４に代えてまたはゴム紐１４に加えて、上記３個ずつの挿通孔１６のうちのいずれか１個に挿通されて、左右一対の側端部１１ａ、１１ｂに取付けられていてもよい。そして、左右一対の側端部１１ａ、１１ｂのそれぞれには、上下一対の挿通用スリット２１が配設されている。また、これら上下一対の挿通用スリット２１のうちの上側の挿通用スリットは、ほぼ左右方向において挿通孔１５（換言すれば、突出部１３ａ、１３ｂ）にそれぞれ隣接している。なお、柔軟性および弾性をそれぞれ有する長手状取付け部材としての伸縮包帯の両端部のそれぞれが、偏平形状のゴム紐１４に代えてまたはゴム紐１４に加えて、これらの挿通用スリット２１のうちの左右一対の挿通用スリットのうちのいずれか１個に挿通されて、左右一対の側端部１１ａ、１１ｂに取付けられることができる。なお、ゴム紐１４、１７および伸縮包帯のそれぞれは、マスク装着者２の左側の頬部、後頭部および右側の頬部をそれぞれ通るように、マスク装着者２の頭部（換言すれば、人などのマスク装着者２の顔も含めた頭）１８に掛け渡される。
【００１７】
マスク本体６のうちの左右両側の多少上方の部分には、図３、図６などに示すように、マスク本体６の内側と外側との間の通気を行うための左右一対の通気用開孔２２ａ、２２ｂがそれぞれ配設されている。なお、これら左右一対の通気用開孔２２ａ、２２ｂのそれぞれは、マスク本体６がマスク装着者２に装着されている状態においては、マスク装着者２の左右両側の鼻孔およびこれら左右両側の鼻孔のほぼ周囲にそれぞれ対応する位置に配置される。そして、右側の通気用開孔２２ｂは、左側の通気用開孔２２ａと左右ほぼ対称的な形状を有していてよい。また、マスク本体６のうちのほぼ中心の箇所から多少下方の部分には、第１および第２のコネクタ２３、２４をそれぞれ取付けるためのコネクタ取付け部２５が配設されている。また、コネクタ取付け部２５には、ほぼ円柱形状などのほぼ柱形状であってよい開孔２６が形成されている。また、コネクタ取付け部２５は、マスク本体６の水平方向および垂直方向のそれぞれに対して傾斜した状態でもって、マスク本体６に配設されている。そして、コネクタ取付け部２５の上記傾斜方向は、下方から上方に向かって外側に突出する方向であってよい。
【００１８】
それぞれほぼ三角形状であってよい左右一対の通気用開孔２２ａ、２２ｂのそれぞれは、図３、図６などに示すように、３箇所の角部がそれぞれ丸められたほぼ二等辺三角形状であってよい。そして、左右一対の通気用開孔２２ａ、２２ｂのそれぞれは、マスク本体６がマスク装着者２に装着されている状態においては、側方から見て、鼻部４の上下方向におけるほぼ中間の高さから口部５のやや下方の位置まで延在していてよい。なお、左右一対のほぼ二等辺三角形状などのほぼ三角形状などの通気用開孔２２ａ、２２ｂのそれぞれの図６における底辺３１の側は、図６に示すように、左側部１１ａおよび右側部１１ｂにそれぞれ比較的隣接しかつこれらの左側部１１ａおよび右側部１１ｂのそれぞれに対してほぼ平行に延在している。そして、左右一対の通気用開孔２２ａ、２２ｂのそれぞれは、マスク本体６をほぼ上下方向に延在している底辺３１のほぼ両端からマスク本体６の左右方向における中心に向って途中まで延在してから互いに繋がっている上側および下側の稜線３２、３３を、それぞれ備えている。なお、図示の実施例においては、左右両側の通気用開孔２２ａ、２２ｂのそれぞれの底辺３１に近似した直線的な長さＬ１は、ほぼ５５ｍｍである。また、左右両側の通気用開孔２２ａ、２２ｂのそれぞれのほぼ二等辺三角形などのほぼ三角形としての高さＬ２は、ほぼ３５ｍｍである。そして、上記長さＬ１に対する上記高さＬ２の比は、ほぼ０．６５である。また、左右両側の通気用開孔２２ａ、２２ｂのそれぞれの開口面積Ｓ６は、ほぼ９５０ｍｍ２である。さらに、上記長さＬ１、上記高さＬ２および上記開口面積Ｓ６のそれぞれの数値は、実用性の観点から見て一般的に、つぎの（ａ）項〜（ｄ）項に記載の範囲であるのが好ましい：
（ａ）上記長さＬ１：４２〜７０ｍｍの範囲（さらに好ましくは、４６〜６６ｍｍの範囲、最も好ましくは、４８〜６４ｍｍの範囲）、
（ｂ）上記長さＬ２：２８〜４４ｍｍの範囲（さらに好ましくは、２９〜４２ｍｍの範囲、最も好ましくは、３０〜４０ｍｍの範囲）、
（ｃ）上記比Ｌ２／Ｌ１：０．５２〜０．８２の範囲（さらに好ましくは、０．５４〜０．７８の範囲、最も好ましくは、０．５６〜０．７６の範囲）、および
（ｄ）上記開口面積Ｓ６：６３０〜１，２６０ｍｍ２の範囲（さらに好ましくは、７６０〜１，１８０ｍｍ２の範囲、最も好ましくは、７９０〜１，１４０ｍｍ２の範囲）。
【００１９】
コネクタ取付け部２５は、図１、図６などに示すように、開孔２６の外周部分を構成するように開孔２６に向って突出しているほぼリング状の突壁部３４と、この突壁部３４の外周付近から外側に向って突出しているほぼ円筒形状などのほぼ筒形状であってよい突壁部３５とを備えている。また、コネクタ取付け部２５（換言すれば、ほぼリング状の突壁部３４およびほぼ筒形状の突壁部３５）は、マスク本体６の水平方向および垂直方向のそれぞれに対して傾斜した状態でもって、マスク本体６に配設されている。そして、コネクタ取付け部２５の上記傾斜方向は、下方から上方に向かって外側に突出する方向であってよい。さらに、コネクタ取付け部２５のほぼ下方側には、このコネクタ取付け部２５に隣接するように、ガス濃度測定用チューブ（図示せず）などを連結することができる第２のコネクタ取付け部３６が配設されている。また、この第２のコネクタ取付け部３６は、ほぼ円形状などであってよい開孔３７を備えている。さらに、第２のコネクタ取付け部３６（換言すれば、開孔３７）は、垂直方向に対して多少傾斜している。そして、第２のコネクタ取付け部３６の上記傾斜方向は、下方から上方に向かって外側に多少突出する方向であってよい。なお、上記ガス濃度測定用チューブは、マスク本体６の内部における炭酸ガスなどのガスの濃度を測定するのに用いられることができる。
【００２０】
（２）第１〜第４のコネクタ、流路変更用アダプタおよびガス類供給用チューブの説明
【００２１】
酸素マスク装置１は、図１、図６などに示すように、第１のコネクタ２３、第２のコネクタ２４、流路変更用アダプタ部としての流路変更用アダプタ４０、第３のコネクタ４１、ガス類供給用チューブ部としてのガス類供給用チューブ４２および第４のコネクタ（図示せず）をそれぞれ備えている。なお、上記第１〜第４のコネクタ２３、２４、４１および流路変更用アダプタ４０のそれぞれは、硬質塩化ビニールなどのほぼ透明な（換言すれば、透光性の）硬質合成樹脂などから、一体成形されていてよい。また、ガス類供給用チューブ４２は、軟質塩化ビニールなどのほぼ透明な（換言すれば、透光性の）軟質合成樹脂などから、一体成形されていてよい。そして、第１のコネクタ２３は、図７〜図１０などに示すように、この第１のコネクタ２３の軸心方向Ｃ１にほぼ沿って延在するほぼ円筒形状などのほぼ筒形状であってよい第２の筒状部としてのガス類供給用の筒状部４３と、この筒状部４３の上端に一体的に配設されていてよい上端面部４４と、この上端面部４４付近から軸心方向Ｃ１に沿ってほぼ上方に向ってほぼ一体的に突出しているほぼ逆円錐台形状（換言すれば、軸心方向Ｃ１においてほぼ倒立状態のほぼ円錐台形状）、ほぼ逆多角錐台形状（換言すれば、軸心方向Ｃ１においてほぼ倒立状態のほぼ多角錐台形状）などのほぼ逆錐台形状（換言すれば、軸心方向Ｃ１においてほぼ倒立状態のほぼ錐台形状）などのガス類整流部４５とを備えている。また、上端面部４４のほぼ中央部分には、ほぼ円形状、ほぼ多角形状などであってよいガス類通過用の開口４６が配設されている。さらに、上端面部４４の外周囲には、軸心方向Ｃ１に対してほぼ直交する方向に突設されかつほぼ環形状であってよい外向きフランジ部５１が配設されている。そして、筒状部４３のうちの外向きフランジ部５１よりも軸心方向Ｃ１におけるマスク本体６の外側寄り（換言すれば、図８における下方寄り）の外周囲には、軸心方向Ｃ１に対してほぼ直交する方向に突設されかつほぼ円環形状などのほぼ環形状であってよい第２の外向きフランジ部５２が、配設されている。なお、第２の外向きフランジ部５２は、外向きフランジ部５１の内径とほぼ同一の内径を有していてよく、また、外向きフランジ部５１の外径よりも十分小さい外径を有していてよい。
【００２２】
筒状部４３には、図７〜図１０に示すように、ほぼ円周方向などのほぼ周方向に沿って好ましくはほぼ等間隔（例えば、ほぼ９０°間隔）でもって、４本などの複数本の係合用の腕部５３がそれぞれ形成されている。このために、筒状部４３には、４本などの複数本の係合用腕部５３の両側において、下端から軸心方向に向って途中まで延在しているスリット（換言すれば、切込み）５４がそれぞれ配設されている。そして、これらの係合用腕部５３の下端部の外側面には、係合用突起部（換言すれば、係合用爪部）５５がそれぞれ突設されている。なお、これらの係合用腕部５３のそれぞれにおいては、筒状部４３のうちの係合用腕部５３以外の部分に較べて、係合用突起部５５だけが軸心方向Ｃ１（図７参照）における下方側に突出していてよい。そして、第１のコネクタ２３をマスク本体６に取付ける際には、第１のコネクタ２３の筒状部４３がマスク本体６の内側から開孔２６に挿通される。なお、この挿通によって、第２の外向きフランジ部５２がマスク本体６などの弾性変形によりこのマスク本体６の環状突壁部３４を乗り越える。このために、マスク本体６の環状突壁部３４が、第１のコネクタ２３の外向きフランジ部５１とこの第１のコネクタ２３の第２の外向きフランジ部５２との間に挟み込まれるので、第１のコネクタ２３は、マスク本体６に取付けられる。さらに、第１のコネクタ２３には、補強用リブ５６が、筒状部４３の内周面と上端面部４４の軸心方向Ｃ１における外側面（換言すれば、下方側）とに跨がるように一体成形されて、配設されている。なお、補強用リブ５６は、図示の実施例においては、ほぼ等間隔でもって、４個形成されている。
【００２３】
逆錐台形状などのガス類整流部４５は、図７〜図１０などに示すように、このガス類整流部４５の軸心方向Ｃ１における上側面６１がほぼ全体にわたって開放されているほぼ中空の形状に構成されている。そして、ガス類整流部４５の軸心方向Ｃ１における下端側には、ほぼ円環形状、ほぼ多角形の環形状などのほぼ環形状であってよい内向きフランジ部６２が、このガス類整流部４５に一体的に形成されていてよい。したがって、ガス類整流部４５の下端部には、ほぼ円形状、ほぼ多角形状などの下端開口６４が第１のガス類導入用開口として形成されている。また、ガス類整流部４５は、このガス類整流部４５の外側面と上端面部４４の上側面とにそれぞれ一体的に連設されている複数本（例えば、４本）の支柱部６３によって、上端面部４４の上側面に配設されている。なお、支柱部６３は、ほぼ等間隔（換言すれば、ほぼ９０°間隔）でもって、配設されていてよい。
【００２４】
図７〜図１０などに示す第１のコネクタ２３のほぼ円筒形状などのほぼ筒形状の筒状部４３は、図示の実施例においては、内径Ｌ３がほぼ１５ｍｍであり、軸心方向Ｃ１の長さＬ４がほぼ９ｍｍであり、軸心方向Ｃ１とほぼ直交する方向における内側面積がほぼ１７６ｍｍ２である。また、第１のコネクタ２３のガス類通過用開口４６は、図示の実施例においては、直径Ｌ５がほぼ１０ｍｍであり、開口４６の大きさを示す開口面積がほぼ７８ｍｍ２である。そして、上端面部４４とガス類整流部４５との間に形成されている（換言すれば、上端面部４４とガス類整流部４５との間で最も狭い隙間である）ほぼ環形状のガス類噴き出し口６５の間隔（換言すれば、開口幅）Ｌ６は、図示の実施例においては、ほぼ０．７ｍｍである。また、第２のガス類導入用開口としてのガス類噴き出し口６５と直交する方向Ｃ２がガス類整流部４５の軸心方向Ｃ１と成す角度θ１は、ほぼ５０°である。そして、開口６４の直径Ｌ７は、図示の実施例においては、ほぼ６ｍｍである。また、ガス類整流部４５の上側面６１の内周直径Ｌ８は、図示の実施例においては、ほぼ１２ｍｍである。そして、ガス類整流部４５の下側面６６の直径Ｌ９は、ほぼ７．８ｍｍである。さらに、軸心方向Ｃ１に対するガス類整流部４５の内周面７１および外周面７２のそれぞれの傾斜角度は、ほぼ３０°である。
【００２５】
第１のコネクタ２３に関する上記内径Ｌ３などの上記各部の数値は、実用性の観点から見て一般的に、つぎの（ａ）項〜（ｋ）項に記載の範囲であるのが好ましい：
（ａ）ほぼ円筒形状などの筒状部４３の内径（換言すれば、内周面の平面的に見た最大長さ）Ｌ３：１０〜２０ｍｍの範囲（さらに好ましくは、１１．５〜１８．５ｍｍの範囲、最も好ましくは、１２．５〜１７．５ｍｍの範囲）、
（ｂ）ほぼ円筒形状などのほぼ筒形状の筒状部４３の軸心方向Ｃ１の長さＬ４：６〜１２ｍｍの範囲（さらに好ましくは、６．５〜１１．５ｍｍの範囲、最も好ましくは、７．２〜１０．８ｍｍの範囲）、
（ｃ）ほぼ円筒形状などのほぼ筒形状の筒状部４３の軸心方向Ｃ１とはほぼ直交する方向における内側面積：１１８〜２３６ｍｍ２の範囲（さらに好ましくは、１４０〜２２０ｍｍ２の範囲、最も好ましくは、１４６〜２１０ｍｍ２の範囲）、
（ｄ）ガス類通過用開口４６の直径（換言すれば、内周面の平面的に見た最大長さ）Ｌ５：８〜１２．５ｍｍの範囲（さらに好ましくは、８．３〜１２ｍｍの範囲、最も好ましくは、８．６〜１１．６ｍｍの範囲）、
（ｅ）ガス類導入用開口４６の開口面積：５２〜１０４ｍｍ２の範囲（さらに好ましくは、６２．４〜９７．５ｍｍ２の範囲、最も好ましくは、６５〜９３．６ｍｍ２の範囲）、
（ｆ）ほぼ環形状のガス類噴き出し口６５の間隔Ｌ６：０．５６〜０．８８ｍｍの範囲（さらに好ましくは、０．５８〜０．８４ｍｍの範囲、最も好ましくは、０．６〜０．８２ｍｍ２の範囲）、
（ｇ）ガス類噴き出し口６５が軸心方向Ｃ１と成す角度θ１：４０°〜６２°の範囲（さらに好ましくは、４２°〜６０°の範囲、最も好ましくは、４４°〜５８°の範囲）、
（ｈ）ガス類整流部４５の下端開口６４の直径（換言すれば、内周面の平面的に見た最大長さ）Ｌ７：４．８〜７．６ｍｍの範囲（さらに好ましくは、５〜７．２ｍｍの範囲、最も好ましくは、５．２〜７ｍｍの範囲）、
（ｉ）ガス類整流部４５の上側面６１の内周直径（換言すれば、上側面６１の内周を平面的に見た最大長さ）Ｌ８：９．６〜１５ｍｍの範囲（さらに好ましくは、１０〜１４．４ｍｍの範囲、最も好ましくは、１０．４〜１４ｍｍの範囲）、
（ｊ）ガス類整流部４５の下側面６６の内周直径（換言すれば、下側面６６の内周を平面的に見た最大長さ）Ｌ９：６．２〜９．８ｍｍの範囲（さらに好ましくは、６．５〜９．４ｍｍの範囲、最も好ましくは、６．７〜９．１ｍｍの範囲）、および
（ｋ）軸心方向Ｃ１に対するガス類整流部４５の内周面７１および外周面７２のそれぞれの傾斜角度：２４°〜３７．５°の範囲（さらに好ましくは、２５°〜３６°の範囲、最も好ましくは、２６°〜３５°の範囲）。
【００２６】
第２のコネクタ２４の下端側の部分は、図１、図６などに示すように、第３のコネクタ４１が取付けられるほぼ円筒形状などのほぼ筒形状の下側の筒状部７３を第１の筒状部として構成している。なお、この下側筒状部７３は、図１に示す状態においては、ほぼ上下方向に延在している。そして、第２のコネクタ２４の上端側の部分は、軸心方向Ｃ１にほぼ沿って延在するように、この第２のコネクタ２４の下端側の部分から上方に向かって斜め方向に屈曲している。また、第２のコネクタ２４の上端付近である第２の筒状部としてのほぼ円筒形状などのほぼ筒形状の上側筒状部７４は、第１のコネクタ２３のガス類供給用筒状部４３とマスク本体６の筒形状突壁部３５との間に挿入されている。そして、この挿入によって、第２のコネクタ２４のほぼ環形状の上壁部７５が、マスク本体６の筒形状突壁部３５の下端に当接する。また、第１のコネクタ２３の係合用腕部５３の係合用突起部５５が、抜け止めのために、ほぼ環形状の上壁部７５の下側面に係合する。この結果、第２のコネクタ２４は、第１のコネクタ２３に対して比較的回動し易い状態でもって、第１のコネクタ２３に取付けられることができる。さらに、第３のコネクタ４１は、図１〜図３などに示すように、円筒形状などの大径でかつ有底の筒状部７６と、この筒状部７６の下端部に一体成形などによって連結されている円筒形状などの小径の筒状部７７とをそれぞれ備えている。なお、筒状部７６の底部のほぼ中心位置には、筒状部７７と連通するための貫通孔８１が形成されている。そして、小径の筒状部７７内には、ガス類供給用チューブ４２の一端部が挿入されて連結されている。また、ガス類供給用チューブ４２の上端開口は、第３の筒状部としての大径の筒状部７６に貫通孔８１を介して連通している。さらに、ガス類供給用チューブ４２の他端部には、前記第４のコネクタ（図示せず）が連結されている。そして、この第４のコネクタは、酸素ボンベなどのガスボンベ（図示せず）や、病室などに配設されたガス類供給用ノズル（図示せず）に、必要に応じて接続されることができる。
【００２７】
流路変更用アダプタ４０の軸心方向Ｃ３は、図１２などに示すように、ほぼ上下方向（換言すれば、第３のコネクタ４１のほぼ軸心方向）とほぼ一致している。そして、流路変更用アダプタ４０は、図１、図１１、図１２などに示すように、ほぼ円環形状などのほぼ環形状の支持部１０１と、この支持部１０１からほぼ下方に向って一体的に延在している４本などの複数本の連結部１０２と、これら複数本の連結部１０２の下端に一体的に連結されているバッフル板部１０３とを、互いに一体成形されて、備えている。また、支持部１０１の外周面には、そのほぼ全体にわたって、その上端側に形成されているほぼ凸状のフランジ部１０４と、その下端側に形成されている係合用の溝部１０５とがそれぞれ形成されている。したがって、支持部１０１の内側面には、ほぼ円形などの中央開口１０６が形成されている。なお、複数本の連結部１０２のそれぞれは、軸心方向Ｃ３から見て、互いにほぼ等間隔に配設されている。また、複数本の連結部１０２は、図示の実施例においては、互いにほぼ同形になるように構成されている。このために、４本などの複数本の連結部１０２の間には、ほぼ同形であってよい４個などの複数個の通気用開口１１１がそれぞれ形成されている。そして、これら複数個の通気用開口１１１は、軸心方向Ｃ３から見て、互いにほぼ等間隔に配設されている。さらに、複数本の連結部１０２のそれぞれは、軸心方向Ｃ３に対してほぼ平行に延在している垂直部１１２と、この垂直部１１２に一体的に連結されかつこの垂直部１１２の下端から軸心方向Ｃ３に向ってほぼ斜め下方に延在している傾斜部１１３とを備えている。そして、この傾斜部１１３のそれぞれの下端は、バッフル板部１０３のほぼ円環形状などのほぼ環形状であってよい外周囲１０３ａに一体的に連結されている。また、バッフル板部１０３の下側面１０３ｂは、ほぼ下方に向ってほぼ円錐形状などのほぼ錐形状に突出している。さらに、バッフル板部１０３のほぼ円錐形状の凹部であってよい上側面１０３ｃも、このバッフル板部１０３のほぼ円錐形状などのほぼ錐形状などの凸部であってよい下側面（換言すれば、外側面）１０３ｂとほぼ同形になるように、ほぼ下方に向ってほぼ円錐形状などのほぼ錐形状などに凹んでいる凹部であってよい。この場合、バッフル板部１０３のほぼ全体は、ほぼ等厚になるように構成されていてよい。
【００２８】
（３）ガス類供給用チューブからのマスク本体へのガス類の吹き出し状態の説明
【００２９】
酸素マスク装置１が図１などに示すようにマスク装着者２の顔面３に装着されているときには、第１のコネクタ２３のガス類整流部４５からマスク本体６内の空間（換言すれば、顔面３とマスク本体６との間に存在するガス類導入空間）８２に送り込まれるガス流８３の方向（換言すれば、ガス類整流部４５の上側面６１が向いている方向）は、上記送り込みの少なくとも最初には、軸心方向Ｃ１とほぼ一致している。そして、酸素マスク装置１（換言すれば、マスク本体６）が図６に示すように水平面８４上に表向きに載置されているとき（以下、「図６に示すマスク載置状態」という。）においては、上記軸心方向Ｃ１は、平面的に見て、マスク本体６（換言すれば、酸素マスク装置１）のほぼ上下方向に延在している。したがって、上記軸心方向Ｃ１は、平面的に見て、図６に示すマスク本体６（換言すれば、酸素マスク装置１）を真上から見て左右に二等分している仮想の二等分中心線（換言すれば、マスク本体６の上下方向に延在する中心線）と、ほぼ一致している。このために、両者の成す角度は、平面的に見て、ほぼ０°である。また、図６に示すマスク載置状態においては、上記軸心方向Ｃ１は、マスク本体６（換言すれば、酸素マスク装置１）の上側部１１ｃ寄りの箇所からマスク本体６の下側部１１ｄ寄りの箇所に向かうとともに上方にも多少向かうように、斜め方向に直線的に延在している。そして、上記軸心方向Ｃ１と水平面８４との成す角度θ２は、マスク本体６を真横から見て（換言すれば、図６に示すマスク載置状態において）、ほぼ４５°である。さらに、図１には、平均的な体形および平均的な頭部形状をそれぞれ有する人間（換言すれば、マスク装着者２）が酸素マスク装置１（換言すれば、マスク本体６）を正しく装着して正面を向いたマスク装着状態（以下、「図１に示すマスク正装着状態」という。）が、示されている。なお、この図１に示すマスク正装着状態は、図６に示すように酸素マスク装置１を水平面８４上に表向きに載置した状態に較べて、酸素マスク装置１をほぼ９０°立ち上がらせた点のみが実質的に相違している。したがって、図６における水平面８４は、図１においては、仮想の垂直面（換言すれば、仮想の鉛直面）８５に置き換えられている。また、図６における角度θ２は、図１においては、角度θ３に置き換えられている。なお、２つの角度θ２、θ３のそれぞれは、実用性の観点から見て一般的に、３０°〜６０°の範囲であるのが好ましく、３５°〜５５°の範囲であるのがさらに好ましく、４０°〜５０°の範囲であるのが最も好ましい。そして、上記軸心方向Ｃ１がマスク本体６（換言すれば、酸素マスク装置１）を正面から見てこのマスク本体６を左右に二等分している仮想の二等分中心線（換言すれば、マスク本体６の上側部１１ｃの側からこのマスク本体６の下側部１１ｄの側まで延在する二等分中心線）と成す角度θ４（図示せず）は、実用性の観点から見て一般的に、０°〜１５°の範囲であるのが好ましく、０°〜１０°の範囲であるのがさらに好ましく、０°〜５°の範囲であるのが最も好ましい。
【００３０】
マスク装着者２が図１、図３などに示すように酸素マスク装置１を装着しているマスク装着状態において、前記第４のコネクタに酸素ガスなどのガス類が供給されると、このガス類は、この第４のコネクタからガス類供給用チューブ４２および第３のコネクタ４１をそれぞれ介して第２のコネクタ２４に送り込まれる。そして、第２のコネクタ２４に送り込まれた上記ガス類は、この第２のコネクタ２４から第１のコネクタ２３のガス類供給用筒状部４３に送り込まれる。また、この第１のコネクタ２３のガス類供給用筒状部４３に送り込まれたガス類の一半部分（以下、「上記第１のガス類」という。）は、ガス類通過用開口４６および下端開口６４をそれぞれ介してガス類整流部４５内に送り込まれ、さらに、このガス類整流部４５を介して上側面６１からマスク本体６の内側に送り込まれる。そして、上記ガス類の他半部分（以下、「上記第２のガス類」という。）は、ガス類通過用開口４６およびガス類噴き出し口６５をそれぞれ介してマスク本体６の内側に送り込まれる。
【００３１】
上述のようにマスク本体６の内側に送り込まれる上記第１のガス類のガス流８３は、図１、図９などに示すように、ガス類整流部４５からマスク本体６の内側に軸心方向Ｃ１にほぼ沿った方向でもって送り出される。また、上記第２のガス類のガス流８６は、ガス類通過用開口４６から直交方向Ｃ２にほぼ沿った方向でもってマスク本体６の内側に送り出される。そして、上記第１のガス類のガス流８３は、マスク装着者２が息を吸うときに、図１に示すように、このマスク装着者２の鼻孔のほぼ下端に向うように偏向する。したがって、マスク装着者２は、上記第１のガス類のガス流８３を鼻部４から効果的に吸引することができる。これに対し、上記第２のガス類のガス流８６は、ガス類整流部４５の外周面７２の存在と、ガス類噴き出し口６５の噴き出し方向（換言すれば、直交方向Ｃ２）との影響を受けるために、マスク装着者２が息を吸うときなどには少なくとも、極端に多い量でもって上記第１のガス類のガス流８３と合流することはない。そして、上記第２のガス類のガス流８６は、上記第１のガス類のガス流８３の外周囲を多少距離を置いた状態でもってほぼリング状に取り囲むようにして、第１のコネクタ２３から離間しながら流動し始める。また、上記第１のガス類のガス流８３および上記第２のガス類のガス流８６のそれぞれが上述のように流動する場合には、マスク装着者２が息を吸い込むときなどに、マスク装着者２は、上記第１のガス類と上記第２のガス類との両方を、このマスク装着者２の鼻孔から効果的に吸引することができる。そして、マスク装着者２が息を吸い込んでいないときなどには、上記第２のガス類のガス流８６が上記第１のガス類のガス流８３の外周囲をほぼ円環形状などのほぼ環形状に取り囲んでいる。このために、上記第１のガス類が、左右一対の通気用開孔２２ａ、２２ｂなどからマスク本体６の外部に漏出するのを、効果的に防止することができる。
【００３２】
上述のように、ガス類供給用チューブ４２から第３のコネクタ４１の貫通孔８１を介してこの第３のコネクタ４１に比較的高速度で送り込まれる横断面積の比較的小さいガス類は、流路変更用アダプタ４０のバッフル板部１０３の下側面１０３ｂに当接する。そして、上記ガス類は、上記当接によって、ほぼ円環形状などのほぼ環形状の状態になりながら、バッフル板部１０３の外周囲１０３ａに導かれる。このために、上記ほぼ環形状のガス類は、通気用開口１１１から流路変更用アダプタ４０の内部空間１１４に導かれる。そして、上記ほぼ環形状のガス類は、横断面積が比較的大きいほぼ円柱形状などのほぼ柱形状の状態となりつつ、流路変更用アダプタ４０の中央開口１０６の上端１１５からさらにほぼ上方に向かって比較的低速度で上昇する。このために、上記ガス類は、横断面積が比較的大きいほぼ円柱形状などのほぼ柱形状の状態でもって、既述のように、第１のコネクタ２３のガス類供給用筒状部４３に比較的低速度で送り込まれる。したがって、第１のコネクタ２３、第２のコネクタ２４および第３のコネクタ４１を図１および図２に示すように組み合わせることによって構成したガス類導入用コネクタ部１２１によれば、つぎに記載のような作用効果を奏することができる。すなわち、横断面積の比較的小さいガス類がガス類供給用チューブ４２からコネクタ部１２１に仮に高速度で多量に送り込まれたときでも、このガス類のガス流は、第１のコネクタ２３のガス類供給用筒状部４３に直接的に当接することはなく、流路変更用アダプタ４０のバッフル板部１０３の下側面１０３ｂに直接的に当接する。そして、ほぼ円柱状などのほぼ柱状での比較的低速度のガス類のガス流がガス類供給用筒状部４３の下端部付近に当接する。なお、上記ガス流がバッフル板部１０３の下側面１０３ｂに直接的に当接しても、この当接箇所は、第１のコネクタ２３のガス類整流部４５の下端開口６４およびガス類通過用開口４６から或る程度離間している。そして、上記ガス流が最初に当接するバッフル板部１０３の下側面１０３ｂは、円錐形状などの錐形状である。また、ガス類のガス流は、横断面積が比較的大きいほぼ円柱形状などのほぼ柱形状の状態でもって、ガス類供給用筒状部４３の下端部付近に比較的低速度で当接する。このために、コネクタ部１２１の内部においてガス類のガス流によって生起される雑音がマスク装着者２や周囲の人達に騒音として認識されにくい。さらに、ガス類のガス流は、上述のように、ガス類供給用筒状部４３の下端部付近に比較的低速度で当接する。このために、ガス類がコネクタ部１２１に短時間に多量に送り込まれたときにも、このガス類のガス流が第１のコネクタ２３の筒状部４３に激しく当接することによって、上記ガス流の流動方向が必要以上に変更される可能性がほとんどない。上述のとおりであるから、流路変更用アダプタ４０は、コネクタ部１２１内のガス類の流路を変更する機能を有し、この結果として、コネクタ部１２１内のガス類の流速を低減する機能を有している。なお、流路変更用アダプタ４０は、ほぼ環形状の筒状部７６の上端部がその係合用溝部１０５に嵌合されることによって、ほぼ環形状の筒状部７６に着脱可能に取付け固定されている。
【００３３】
上述のように、コネクタ部１２１の内部においてガス類のガス流によって生起される雑音がマスク装着者２や周囲の人達に騒音として認識され難くするとともに、ガス類導入用コネクタ部１２１からの上記ガス流の流動方向が必要以上に変更される可能性がほとんどないようにするためには、酸素マスク装置１は、ガス類のガス流の流路を変更する機能と、ガス類のガス流の流速を低減する機能とをそれぞれ有するように、つぎに記載の構成を備えているのが好ましい。すなわち、その第１の要素は、ガス類がガス類供給用チューブ４２からコネクタ部１２１の内部空間１２２に導入されるときのガス類導入口（図１〜図１２に図示する実施例においては、ガス類供給用チューブ４２の内周）１２４の開口面積Ｓ１である。そして、その第２の要素は、流路変更用アダプタ４０のガス類導出用中央開孔１０６の開口面積Ｓ２である。なお、図１〜図１２に図示する第１の実施例においては、ほぼ円筒形状などのほぼ筒形状であってよいガス類供給用チューブ４２の内周面には、例えば４本などの複数本の潰れ防止用の突条部（図示せず）が、ガス類供給用チューブ４２のほぼ長さ方向に延在するように、突設されている。なお、このガス類供給用チューブ４２のうちの突条部が存在しないと見なした場合のガス類供給用チューブ４２の内径は、ほぼ３．８ｍｍであり、それぞれの上記突条部の幅は、ほぼ０．９ｍｍであり、それぞれの上記突条部の突出高さは、ほぼ１ｍｍである。そして、ガス類導入口１２４の開口面積（換言すれば、上記突条部の存在のために減少している開口面積）Ｓ１は、ほぼ７．８ｍｍ２である。また、流路変更用アダプタ４０の支持部１０１によって形成されているガス類導出用のほぼ円形などの中央開孔１０６の上端側の開口１２５の直径は、ほぼ１６．５ｍｍである。また、この上端側の開口１２５の開口面積Ｓ２は、ほぼ２１４ｍｍ２である。さらに、このように構成された酸素マスク装置１においては、ガス類導入口１２４から第３のコネクタ４１の筒状部７６の内部に導入されるガス類の流入速度Ｖ１に対する、流路変更用アダプタ４０の中央開孔１０６から流出して上昇するガス類の流出速度Ｖ２の比は、ほぼ０．０３である。したがって、流路変更用アダプタ４０の中央開孔１０６から流出して上昇するガス類の流出速度Ｖ２は、第３のコネクタ４１の筒状部７６内に導入されるガス類の流入速度Ｖ１に対して、ほぼ１／３２に低減される。そして、上記開口面積Ｓ１は、第１の実施例においては、実用性の観点から見て一般的に、５．２〜１０．４ｍｍ２の範囲であるのが好ましく、５．８〜９．８ｍｍ２の範囲であるのがさらに好ましく、６．２〜９．４ｍｍ２の範囲であるのが最も好ましい。また、上記開口面積Ｓ２は、第１の実施例においては、実用性の観点から見て一般的に、１４２〜２８６ｍｍ２の範囲であるのが好ましく、１６０〜２６８ｍｍ２の範囲であるのがさらに好ましく、１７０〜２５８ｍｍ２の範囲であるのが最も好ましい。
【００３４】
ガス類供給用チューブ４２が、図３に示すように、正面から見て左右のいずれにも位置ずれしていない状態においては、第２のコネクタ２４は、図１、図３などに示すように、第１のコネクタ２３の軸心方向Ｃ１における下端に対してほぼ真下に位置している。しかし、ガス類供給用チューブ４２が何らかの理由でもって図３に示す状態から図４に示すようにマスク本体６の右側に往動したときには、第２のコネクタ２４が、第１のコネクタ２３（換言すれば、マスク本体６）に対して、図４における右回りに往回動する。したがって、ガス類供給用チューブ４２は、このような場合でも、捩れたり折れ曲ったりすることが特になくて、ほぼ正常なガス類供給状態を保持する。そして、ガス類供給用チューブ４２が図４に示す状態から図３に示す状態に復動するときには、第２のコネクタ２４が、第１のコネクタ２３（換言すれば、マスク本体６）に対して、図４における左回りに復回動する。このために、ガス類供給用チューブ４２は、このような場合でも、捩れたり折り曲がったりすることが特になくて、ほぼ正常なガス類供給状態を保持する。さらに、ガス類供給用チューブ４２が、何らかの理由でもって、図３に示す状態から図５に示すようにマスク本体６の左側に往動したときにも、第２のコネクタ２４が、第１のコネクタ２３（換言すれば、マスク本体６）に対して、図３における左回りに往回動する。このために、ガス類供給用チューブ４２は、このような場合でも、捩れたり折れ曲ったりすることが特になくて、ほぼ正常なガス類供給状態を保持する。そして、ガス類供給用チューブ４２が図５に示す状態から図３に示す状態に復動したときには、第２のコネクタ２４が、第１のコネクタ２３（換言すれば、マスク本体６）に対して、図４における右回りに復回動する。したがって、ガス類供給用チューブ４２は、このような場合でも、不必要に捩れたり折れ曲ったりすることが特になくて、ほぼ正常なガス類供給状態を保持する。
【００３５】
２、第２の実施例
【００３６】
図１３および図１４に示す第２の実施例におけるガス類供給用マスク装置としての酸素マスク装置１は、図１〜図１２に示す第１の実施例における酸素マスク装置１とは、以下に記述する点のみが実質的に相違している。したがって、この第２の実施例においては、既述の第１の実施例と実質的に同一の構成および作用効果についての説明は、適当に省略する。すなわち、図１３および図１４に示す第３のコネクタ４１の底板部１３１にそれぞれ形成されている４個などの複数個の脚部取付け孔としての貫通孔１３２には、流路変更用アダプタ部１３０の４本などの複数本の取付け用脚部１３３のそれぞれの下端部がそれぞれ嵌合されて取付け固定されている。なお、これら複数本の取付け用脚部１３３は、ほぼ円板形状などのほぼ平板状の流路変更用のバッフル板部１３４の下側面に一体成形されていてよい。このために、複数本の取付け用脚部１３３の間には、ほぼ同形であってよい４個などの複数個の通気用開口１３８がそれぞれ形成されている。そして、これら複数個の通気用開口１３８は、軸心方向Ｃ３から見て、互いにほぼ等間隔に配設されている。また、マスク装着者２が、図１、図３などに示す場合と同様に、酸素マスク装置１を装着しているマスク装着状態において、前記第４のコネクタに酸素ガスなどのガス類が供給されると、このガス類は、この第４のコネクタからガス類供給用チューブ４２を介して第３のコネクタ４１に送り込まれる。さらに、この第３のコネクタ４１に比較的高速度で送り込まれる横断面積の比較的小さいガス類は、流路変更用アダプタ部１３０のバッフル板部１３４の下側面１３４ａに当接する。そして、上記ガス類は、バッフル板部１３４の外周囲１３４ｂに向ってほぼ水平に移動する。このために、バッフル板部１３４の外周囲１３４ｂに導かれた上記ガス類は、この外周囲１３４ｂと第３のコネクタ４１の内周面１３５との間に形成されているほぼ円環形状などのほぼ環形状の間隙１３６からほぼ上方に向って上昇する。したがって、上記ガス類は、横断面積が比較的大きいほぼ円柱形状などのほぼ柱形状の状態になりつつ、流路変更用アダプタ部１３０のバッフル板部１３４の上側面１３４ｃのほぼ上方に向って上昇するので、この場合にも、第１の実施例の場合とほぼ同様の作用効果を奏することができる。
【００３７】
図１４に示すガス類導入口１２４の開口面積Ｓ１は、第１の実施例について記述したように、ほぼ７．８ｍｍ２である。そして、第３コネクタ４１の筒状部７６の内周面１３５の直径Ｄ１は、ほぼ１８ｍｍであるから、この筒状部７６の内周面の横断面積Ｓ３は、ほぼ２５４ｍｍ２である。また、流路変更用アダプタ部１３０のバッフル板部１３４の外周囲の平面的に見た直径は、ほぼ１６．５ｍｍであるから、このバッフル板部１３４の平面的に見た面積Ｓ４は、ほぼ２１４ｍｍ２である。したがって、バッフル板部１３４と大径の筒状部７６との間に存在するほぼ円環形状などの環形状の間隙１３６の面積Ｓ５は、平面的に見て、ほぼ４０ｍｍ２である。また、筒状部７６の内周面が平面的に見てほぼ円形などの形状であるとともにバッフル板部１３４が平面的に見てほぼ円形などの形状であり、間隙１３６の幅がほぼ全周にわたってほぼ均一であれば、ほぼ０．７５ｍｍである。そして、バッフル板部１３４の外周囲１３４ｂと、この外周囲１３４ｂとほぼ対向している大径の筒状部７６との間に存在する間隙１３６の幅は、バッフル板部１３４の外周囲１３４ｂのほぼ全体にわたって、一様な大きさである。したがって、バッフル板部１３４の外周囲１３４ｂと筒状部７６との間隙１３６の幅Ｗ１は、ほぼ０．７５ｍｍである。そして、ガス類導入口１２４の開口面積Ｓ１および大径の筒状部７６の内周面の横断面積Ｓ３のそれぞれの好ましい数値範囲、さらに好ましい数値範囲および最も好ましい数値範囲は、第２の実施例においても、既述の第１の実施例の場合と実質的同一であってよい。また、バッフル板部１３４の平面的に見た面積Ｓ４は、１６０〜２６８ｍｍ２の範囲であるのが好ましく、１７０〜２５８ｍｍ２の範囲であるのがさらに好ましく、１７８〜２５０ｍｍ２の範囲であるのが最も好ましい。さらに、バッフル板部１３４と筒状部７６との間に存在する間隙１３６の平面的に見た面積Ｓ５は、３０〜５２ｍｍ２の範囲であるのが好ましく、３２〜５０ｍｍ２の範囲であるのがさらに好ましく、３３〜４８ｍｍ２の範囲であるのが最も好ましい。この場合、バッフル板部１３４の外周囲１３４ｂとこの外周囲とほぼ対向している大径の筒状部７６との間隙１３６の幅は、バッフル板部１３４の外周囲１３４ｂのほぼ全体にわたって、一様な大きさであるのが好ましい。
【００３８】
３、第３の実施例
【００３９】
図１５および図１６に示す第３の実施例におけるガス類供給用マスク装置としての酸素マスク装置１は、図１３および図１４に示す第２の実施例における酸素マスク装置１とは、以下に記述する点のみが実質的に相違していてよい。したがって、既述の第２の実施例と実質的に同一の構成および作用効果についてのこの第３の実施例における説明は、適当に省略する。すなわち、図１５および図１６に示す第３のコネクタ４１の底板部１３１に取付け固定されている流路変更用アダプタ部１３０のバッフル板部１３４は、第２の実施例においてはほぼ平板状であるが、第３の実施例においては、ほぼ円錐形状などのほぼ錐形状に構成されている。そして、このバッフル板部１３４は、ほぼ上方に向ってほぼ円錐形状などの錐形状に突出している。また、バッフル板１３４の頂部１３４ｄは、ほぼ球面状などに丸められている。このために、この第３の実施例においては、ガス類がガス類供給用チューブ４２を介して第３のコネクタ４１に送り込まれる際に、このガス類がバッフル板部１３４よりも下方に位置することができる空間が、第２の実施例の場合よりも増大している。したがって、この第３の実施例における第３のコネクタ４１の場合にも、コネクタ部１２１の内部においてガス類のガス流によって生起される雑音がマスク装着者２や周囲の人達に騒音として認識される可能性が、上記第２の実施例における第３のコネクタ４１の場合とほぼ同様またはそれ以上に少なくなる。
【００４０】
図１６に示すガス類導入口１２４の開口面積Ｓ１は、第１および第２の実施例について記述したように、ほぼ７．８ｍｍ２である。そして、第３のコネクタ４１の大径の筒状部７６の内周面１３５の直径Ｄ１は、ほぼ１８ｍｍであるから、この筒状部７６の内周面の横断面積Ｓ３は、ほぼ２５４ｍｍ２である。また、流路変更用アダプタ部１３０のバッフル板部１３４の外周囲の直径は、ほぼ１６．５ｍｍであるから、このバッフル板部１３４の平面的に見た面積Ｓ４は、第２の実施例について記述したように、ほぼ２１４ｍｍ２である。したがって、バッフル板部１３４と筒状部７６との間に存在するほぼ円環形状などのほぼ環形状の間隙１３６の面積Ｓ５は、第２の実施例について記述したように、平面的に見て、ほぼ４０ｍｍ２である。そして、ガス類導入口１２４の開口面積Ｓ１の好ましい数値範囲、さらに好ましい数値範囲および最も好ましい数値範囲のそれぞれは、第３の実施例においても、既述の第１および第２の実施例の場合と実質的同一であってよい。また、バッフル板部１３４の平面的に見た面積Ｓ４と、バッフル板部１３４と筒状部７６との間に存在する間隙１３６の平面的に見た面積Ｓ５とのそれぞれの好ましい数値範囲、さらに好ましい数値範囲および最も好ましい数値範囲のそれぞれは、第３の実施例においても、既述の第２の実施例の場合と実質的同一であってよい。
【００４１】
４、第４の実施例
【００４２】
図１７および図１８に示す第４の実施例におけるガス類供給用マスク装置としての酸素マスク装置１は、図１３および図１４に示す第２の実施例における酸素マスク装置１とは、以下に既述する点のみが実質的に相違していてよい。したがって、既述の第２の実施例と実質的に同一の構成および作用効果についてのこの第４の実施例における説明は、適当に
省略する。すなわち、図１７および図１８に示す第３のコネクタ４１の底板部１３１に取付け固定されている流路変更用アダプタ部１３０のバッフル板部１３４は、第２の実施例においては、ほぼ平板状であるが、第４の実施例においては、ほぼ半円筒状などのほぼ半筒形状に構成されている。そして、このバッフル板部１３４は、その内周面がほぼ上方（換言すれば、底板部１３１とはほぼ反対の側）を向いているとともに、その外周面がほぼ下方（換言すれば、底板部１３１にほぼ向いた側）を向いていてよい。また、このバッフル板部１３４の長さ方向における両端部１３７のそれぞれは、図１７に示すように、第３のコネクタ４１の有底の筒状部７６の内周面からは多少離間している。さらに、バッフル板部１３４の左右両側部１３８ａ、１３８ｂは、有底の筒状部７６の内周面との間に、十分な空間を有している。そして、バッフル板部１３４の下側面１３４ａのほぼ四隅などの隅部付近のそれぞれには、取付け用脚部１３３が配設されている。
【００４３】
図１８に示すガス類導入口１２４の開口面積Ｓ１は、第１〜第３の実施例について記述したように、ほぼ７．８ｍｍ２である。そして、第３のコネクタ４１の大径の筒状部７６の内周面１３５の直径Ｄ１は、ほぼ１８ｍｍであるから、この筒状部７６の内周面の横断面積Ｓ３は、ほぼ２５４ｍｍ２である。また、流路変更用アダプタ部１３０のバッフル板部１３４の長さＬ１０は、平面的に見て、ほぼ１５ｍｍである。さらに、バッフル板部１３４の幅（換言すれば、外周面の直径）Ｌ１１は、平面的に見て、ほぼ５．５ｍｍである。そして、バッフル板部１３４の内周面の直径Ｄ２は、ほぼ３．５ｍｍである。また、バッフル板部１３４の平面的に見た面積Ｓ４は、ほぼ８２ｍｍ２である。さらに、バッフル板部１３４と大径の筒状部７６との間に存在する環形状の間隙１３６の面積Ｓ５は、平面的に見て、ほぼ１７２ｍｍ２である。そして、ガス類導入口１２４の開口面積Ｓ１および大径の筒状部７６の内周面の横断面積Ｓ３のそれぞれの好ましい数値範囲、さらに好ましい数値範囲および最も好ましい数値範囲は、第４の実施例においても、既述の第２の実施例の場合と実質的に同一であってよい。また、バッフル板部１３４の平面的に見た面積Ｓ４は、６０〜１０４ｍｍ２の範囲であるのが好ましく、６６〜１００ｍｍ２の範囲であるのがさらに好ましく、６８〜９６ｍｍ２の範囲であるのが最も好ましい。さらに、バッフル板部１３４と筒状部７６との間に存在する間隙１３６の平面的に見た面積Ｓ５は、１２８〜２１６ｍｍ２の範囲であるのが好ましく、１３８〜２０８ｍｍ２の範囲であるのがさらに好ましく、１４２〜２００ｍｍ２の範囲であるのが最も好ましい。
【００４４】
以上、本発明の第１〜第４の実施例について詳細に説明したが、本発明は、これら第１〜第４の実施例に限定されるものではなく、特許請求の範囲に記載されている発明の趣旨に基づいて各種の変更および修正を施すことが可能である。
【００４５】
例えば、上述の第１の実施例においては、流路変更用アダプタ４０を第３のコネクタ４１に取付け固定するように構成したが、流路変更用アダプタ４０が第３のコネクタ４１に一体形成されていてもよい。そして、この点は、上述の第２〜第４の実施例においても同様である。
【００４６】
また、上述の第３の実施例においては、流路変更用アダプタ部１３０のバッフル板部１３４の頂部１３４ｄは、ほぼ球面形状などに丸められている。そして、上述の第１の実施例においては、流路変更用アダプタ４０のバッフル板部１０３の下側の先端部は、ほぼ球面形状などの丸みを帯びていなくて、下方に向かって尖った形状で突出している。しかし、上述の第３の実施例におけるバッフル板部１３４の頂部１３４ｄは、ほぼ球面形状などに丸められている必要は必ずしもなく、上方に向かって尖った形状で突出していてもよい。そして、バッフル板部１０３の下側先端部は、下方に向かって尖った形状で突出している必要は必ずしもなく、ほぼ球面形状などに丸められていてもよい。
【００４７】
また、上述の第１〜第４の実施例においては、筒状部７３をほぼ円筒形状に図示した。そして、上述の第１の実施例においては、支持部１０１をほぼ円環形状に図示した。さらに、上述の第１の実施例においては、バッフル板部１０３をほぼ円錐形状に図示した。また、上述の第２の実施例においては、バッフル板部１３４をほぼ円板形状に図示した。そして、上述の第３の実施例においては、バッフル板部１３４をほぼ円錐形状に図示した。さらに、上述の第４の実施例においては、バッフル板部１３４をほぼ半円筒形状に図示した。しかし、上述の第１〜第４の実施例における筒状部７３は、ほぼ六角形のほぼ筒形状、ほぼ八角形のほぼ筒形状などのほぼ多角形のほぼ筒形状に構成されていてもよい。さらに、上述の第１の実施例におけるバッフル板部１０３は、ほぼ六角錐形状、ほぼ八角錐形状などのほぼ角錐形状に構成されていてもよい。また、上述の第２の実施例におけるバッフル板部１３４は、ほぼ六角形、ほぼ八角形などのほぼ多角形の板状に構成されていてもよい。そして、上述の第３の実施例におけるバッフル板部１３４は、ほぼ六角錐形状、ほぼ八角錐形状などのほぼ角錐形状に構成されていてもよい。さらに、上述の第４の実施例におけるバッフル板部１３４は、ほぼ六角形のほぼ筒状体、ほぼ八角形のほぼ筒状体などのほぼ多角形のほぼ筒状体のうちのほぼ下側半分またはほぼ上側半分に相当する形状に構成されていてもよい。
【００４８】
また、上述の第１〜第４の実施例においては、流路変更用アダプタ部４０、１３０のそれぞれが、単一のバッフル板部１０３、１３４を備えている。しかし、流路変更用アダプタ部４０、１３０のそれぞれは、単一のバッフル板部１０３、１３４を備えている必要は必ずしもなく、流路変更用アダプタ部４０、１３０が例えば互いにほぼ上下に連結されている２枚などの複数枚のバッフル板部１０３、１３４を備えていてもよい。また、上述の第１〜第４の実施例においては、コネクタ部１２１のそれぞれが、単一の流路変更用アダプタ部４０、１３０を備えている。しかし、コネクタ部１２１のそれぞれは、単一の流路変更用アダプタ部４０、１３０を備えている必要は必ずしもなく、コネクタ部１２１が例えば互いにほぼ上下に配置されている２個などの複数個の流路変更用アダプタ部４０、１３０を備えていてもよい。
【００４９】
また、上述の第１〜第４の実施例においては、第１のコネクタ２３を第２のコネクタ２４とは別体に構成した。しかし、第１のコネクタ２３を第２のコネクタ２４と一体に構成することも可能である。
【００５０】
また、上述の第１〜第４の実施例においては、第３のコネクタ４１を第２のコネクタ２４とは別体に構成した。しかし、第３のコネクタ４１を第２のコネクタ２４と一体に構成することも可能である。
【００５１】
また、上述の第１〜第４の実施例においては、左右一対の通気用開孔２２ａ、２２ｂのそれぞれを、互いにほぼ左右対称的な形状を有するほぼ三角形状に構成した。しかし、左右一対の通気用開孔２２ａ、２２ｂのそれぞれは、ほぼ三角形状である必要は必ずしもなく、ほぼ半円形状、ほぼ長円形状、ほぼ楕円形状、ほぼ多角形状（ほぼ三角形状を除く。）などの別の形状であってもよい。
【００５２】
さらに、上述の第１〜第４の実施例においては、ガス類整流部４５の下端開口６４をほぼ円形状に構成した。しかし、下端開口６４は、必ずしもほぼ円形状に構成される必要はなくて、ほぼ六角形状、ほぼ八角形状などのほぼ多角形状であってもよく、また、ほぼ楕円形状、ほぼ長円形状、ほぼ円環形状などのほぼ環形状などであってもよい。
【符号の説明】
【００５３】
１        酸素マスク装置（ガス類供給用マスク装置）
２        マスク装着者
３        顔面
６        マスク本体
２３      第１のコネクタ
２４      第２のコネクタ
４０      流路変更用アダプタ部
４１      第３のコネクタ
４２      ガス類供給用チューブ部
７３      下側筒状部（第１の筒状部）
７４      上側筒状部（第２の筒状部）
７６      有底の筒状部（第１の筒状部）
８２      ガス類導入空間
８４      水平面
１０１    支持部
１０２    連結部
１０３    バッフル板部
１１１    通気用開口
１２１    ガス類導入用コネクタ部
１２２    内部空間
１２４    ガス類導入口
１２５    開口
１３０    流路変更用アダプタ部
１３３    取付け用脚部
１３４    バッフル板部
１３６    ほぼ環形状の間隙
１３８    通気用開口
Ｓ１      開口面積
Ｓ２      開口面積
Ｓ４      開口面積
Ｓ５      開口面積
【図１】
0006283325.tif 000002
【図２】
0006283325.tif 000003
【図３】
0006283325.tif 000004
【図４】
0006283325.tif 000005
【図５】
0006283325.tif 000006
【図６】
0006283325.tif 000007
【図７】
0006283325.tif 000008
【図８】
0006283325.tif 000009
【図９】
0006283325.tif 000010
【図１０】
0006283325.tif 000011
【図１１】
0006283325.tif 000012
【図１２】
0006283325.tif 000013
【図１３】
0006283325.tif 000014
【図１４】
0006283325.tif 000015
【図１５】
0006283325.tif 000016
【図１６】
0006283325.tif 000017
【図１７】
0006283325.tif 000018
【図１８】
0006283325.tif 000019
【図１９】
0006283325.tif 000020
【図２０】
0006283325.tif 000021
【図２１】
0006283325.tif 000022